(57)【要約】【課題】フィルムキャリアＦＣにセットした写真フィルムＦの画像形成面とベース側面とのゴミや傷の欠陥情報を精度高く検出する。【解決手段】光源１５からの光線を光学レンズ１７に導く光軸Ｌ上に写真フィルムＦの画像形成面からの画像情報が結像する可視光用の光電変換部Ｓｖを配置し、光軸Ｌ上に配置したダイクロイックミラー１８で反射した赤外光が導かれる光路にハーフミラー１９を配置し、このハーフミラー１９で反射した赤外光が導かれる位置に写真フィルムＦの画像形成面からの画像情報が結像する第１光電変換手段Ｓｒ１を配置し、ハーフミラー１９を透過した赤外光が導かれる位置に写真フィルムのベース側面からの画像情報が結像する第２光電変換手段Ｓｒ２を配置した。【選択図】  図２
2004228955.tif 000002
【特許請求の範囲】
【請求項１】
フィルム保持機構に保持した現像済み写真フィルムに光源からの光線を照射し、その写真フィルムを透過した光線を光学レンズを介して可視光用の光電変換部に導いて画像情報を取り出すと共に、前記光学レンズを通過した光線を赤外光用の光電変換部に導いて写真フィルムの欠陥情報を取り出すよう構成されているフィルムスキャナであって、
前記赤外光用の光電変換部が、前記フィルム保持機構に適正に保持された写真フィルムの画像形成面からの赤外光情報が結像する位置に配置した第１光電変換手段と、この写真フィルムのベース側面からの赤外光情報が結像する位置に配置された第２光電変換手段とを備えて構成されているフィルムスキャナ。
【請求項２】
前記光源からの光線を前記光学レンズに導く光軸上にダイクロイックミラーと、このダイクロイックミラーを透過した可視光が導かれる前記可視光用の光電変換部とを配置すると共に、前記ダイクロイックミラーで反射した赤外光が導かれる光路にハーフミラーを配置し、このハーフミラーで反射した赤外光が導かれる位置に前記第１光電変換手段又は第２光電変換手段を配置し、このハーフミラーを透過した赤外光が導かれる位置に前記第２光電変換手段又は第１光電変換手段を配置している請求項１記載のフィルムスキャナ。
【請求項３】
前記フィルム保持機構に保持された写真フィルムの表裏を判別する表裏判別手段を備えると共に、この表裏判別手段で写真フィルムが裏向きであることを判別した際には、前記可視光用の光電変換部で取り出した画像情報を鮮明化する処理を行うと共に、この画像情報と、前記赤外光用の光電変換部で取り出した欠陥情報とを裏向きに変換する画像処理手段を備えている請求項１又は２記載のフィルムスキャナ。
【請求項４】
前記表裏判別手段が、前記写真フィルムの形成されたＤＸコード情報を光学的に読み取るセンサからの情報に基づいて写真フィルムの表裏の判別を行うよう処理形態を設定してある請求項３記載のフィルムスキャナ。
【発明の詳細な説明】
【０００１】
【発明の属する技術分野】
本発明は、フィルム保持機構に保持した現像済み写真フィルムに光源からの光線を照射し、その写真フィルムを透過した光線を光学レンズを介して可視光用の光電変換部に導いて画像情報を取り出すと共に、前記光学レンズを通過した光線を赤外光用の光電変換部に導いて写真フィルムの欠陥情報を取り出すよう構成されているフィルムスキャナに関する。
【０００２】
【従来の技術】
従来、上記のように可視光変換系と赤外光変換系とを備えたフィルムスキャナとして、写真フィルムを透過した可視光線をＲＧＢ３ラインＣＣＤに導いて画像情報を取り出し、写真フィルムを透過した赤外線をＩＲ用１ラインセンサに導いてゴミや傷情報を取り出すよう構成したものが存在する（例えば、特許文献１参照）。
【０００３】
【特許文献１】
特開２０００‐３４１４７３号公報  （段落番号〔００３９〕〜〔００５０〕、図１、図２）
【０００４】
【発明が解決しようとする課題】
前述のように可視光変換系と赤外光変換系とを備えたフィルムスキャナは、特許文献１にも記載されるように、可視光変換系で取り出した画像情報を、赤外光変換系で取出した欠陥情報（ゴミや傷の情報）に基づいて欠陥を補間する補正を行い、補正後の画像情報からプリントを行っている。具体的には、特許文献１にも記載されるように、赤外線の濃度情報が閾値を超えるものをゴミや傷による欠陥情報として取り出すものであるため、ゴミや傷の欠陥情報を赤外光用の光電変換部の光電変換面に対して出来るだけ忠実に結像させるよう光学レンズの焦点位置を設定することにより、欠陥情報のコントラストを高め、この欠陥情報の位置を精度高く特定できるものにしている。
【０００５】
しかしながら、従来からのフィルムスキャナでは、特許文献１に記載された技術のように単一の赤外光変換系を備えているので、フィルム保持機構に対して適正な向き（表裏を誤らず）に写真フィルムをセットした場合において、写真フィルムの一方の面における欠陥情報の位置を比較的精度高く特定し得るものの、他方の面の欠陥情報の位置を特定する精度が低くなり改善の余地がある。つまり、従来からのフィルムスキャナでは、フィルム保持機構に対して写真フィルムを適正な向きにセットした状態において、可視光用の光電変換部の光電変換面に対して写真フィルムの画像形成面（乳剤面）の画像情報を結像させるよう光学レンズの焦点位置を設定すると共に、赤外光用の光電変換部の光電変換面に対して写真フィルムの一方の面（通常は、画像形成面（乳剤面））の情報を結像させるよう光学レンズの焦点位置を設定している。このような理由から画像形成面における欠陥情報の位置を高精度で特定し得るものの、他方の面の欠陥情報の位置を特定する精度が低下しているのが現状である。
【０００６】
特に、フィルム保持機構に対して写真フィルムを誤って裏向き（表裏逆向き）にセットした場合には、可視光用の画像情報は裏向きになるものの画像処理により適正な向きの画像情報に変換できるのであるが、前述したように、赤外光用の光電変換部に対してフィルムベース側の表面の情報が結像することになるので、欠陥情報として重要な画像形成面の欠陥情報の位置を特定する精度が低下する点においても改善の余地がある。
【０００７】
これらの不都合は、このフィルムスキャナに使用される光学レンズが、解像度を高めるためＦ値を小さく設定したものを使用していることを原因に挙げることができる。つまり、Ｆ値が小さいレンズでは、被写界深度が浅く、写真フィルムの一方の面の情報を赤外光用の光電変換部の光電変換面に結像させるよう焦点位置のセットした場合には必然的に他方の面からの情報の鮮鋭度が低下するものとなり、写真フィルムの一方の面における欠陥情報の位置を特定する精度を低下させる不都合を招いていたのである。
【０００８】
本発明の目的は、フィルム保持機構に対してセットした写真フィルムの欠陥情報を適正に取り出し得るフィルムスキャナを合理的に構成する点にある。
【０００９】
【課題を解決するための手段】
本発明の請求項１に係るフィルムスキャナの特徴、作用・効果は次の通りである。
〔特徴〕
フィルム保持機構に保持した現像済み写真フィルムに光源からの光線を照射し、その写真フィルムを透過した光線を光学レンズを介して可視光用の光電変換部に導いて画像情報を取り出すと共に、前記光学レンズを通過した光線を赤外光用の光電変換部に導いて写真フィルムの欠陥情報を取り出すよう構成されているフィルムスキャナにおいて、前記赤外光用の光電変換部が、前記フィルム保持機構に適正に保持された写真フィルムの画像形成面からの赤外光情報が結像する位置に配置した第１光電変換手段と、この写真フィルムのベース側面からの赤外光情報が結像する位置に配置された第２光電変換手段とを備えて構成されている点にある。
【００１０】
〔作用・効果〕
上記特徴によると、フィルム保持機構に対して写真フィルムを適正に保持した場合には、写真フィルムの画像形成面（乳剤面）の欠陥情報を第１光電変換手段で取り出し、写真フィルムのベース側面の欠陥情報を第２光電変換手段で取り出すものとなり、又、フィルム保持機構に対して裏向きに写真フィルムをセットした場合には、写真フィルムの画像形成面（乳剤面）の欠陥情報を第２光電変換手段で取り出し、写真フィルムのベース側面の欠陥情報を第１光電変換手段で取り出すものとなる。つまり、赤外光用の光電変換部が単一のものと比較して、フィルム保持機構にセットした写真フィルムの向きが適正であっても不適正（裏向き）であっても、写真フィルムの何れの面に傷やゴミが存在していても、何れの面に存在する欠陥情報の位置を光学レンズを介して２つの光電変換手段の光電変換面に結像させて欠陥情報の位置を精度高く把握し特定できるのである。その結果、フィルム保持機構に対してセットする写真フィルムの向きに拘わりなく欠陥情報の位置を適正に把握して補正を実現するフィルムスキャナが合理的に構成された。特に、本発明によると、写真フィルムの表裏両面における欠陥情報を取り出せるので、写真フィルムを適正にセットした場合においても、表裏両面に存在する欠陥情報に基づいて補正を行って高品質の画像情報を生成し得ると云う効果も奏する。
【００１１】
本発明の請求項２に係るフィルムスキャナの特徴、作用・効果は次の通りである。
〔特徴〕
請求項１記載のフィルムスキャナにおいて、前記光源からの光線を前記光学レンズに導く光軸上にダイクロイックミラーと、このダイクロイックミラーを透過した可視光が導かれる前記可視光用の光電変換部とを配置すると共に、前記ダイクロイックミラーで反射した赤外光が導かれる光路にハーフミラーを配置し、このハーフミラーで反射した赤外光が導かれる位置に前記第１光電変換手段又は第２光電変換手段を配置し、このハーフミラーを透過した赤外光が導かれる位置に前記第２光電変換手段又は第１光電変換手段を配置している点にある。
【００１２】
〔作用・効果〕
上記特徴によると、写真フィルムの画像情報は光学レンズから可視光用光電変換部に導かれ、写真フィルムの欠陥情報は光学レンズからダイクロイックミラーで反射され、ハーフミラーから第１光電変換手段と第２光電変換手段との光電変換面に欠陥情報を結像させることが可能となる。その結果、可視光用の画像情報と写真フィルムの表裏両面に欠陥情報とを同時に取り込み得るものとなった。
【００１３】
本発明の請求項３に係るフィルムスキャナの特徴、作用・効果は次の通りである。
〔特徴〕
請求項１又は２記載のフィルムスキャナにおいて、前記フィルム保持機構に保持された写真フィルムの表裏を判別する表裏判別手段を備えると共に、この表裏判別手段で写真フィルムが裏向きであることを判別した際には、前記可視光用の光電変換部で取り出した画像情報を鮮明化する処理を行うと共に、この画像情報と、前記赤外光用の光電変換部で取り出した欠陥情報とを裏向きに変換する画像処理手段を備えている点にある。
【００１４】
〔作用・効果〕
上記特徴によると、フィルム保持機構に対して誤って写真フィルムを逆向きにセットした場合には、画像情報処理手段が可視光用の光電変換部で取り出した画像情報の鮮明化を行うと共に、この画像情報と、赤外光用の光電変換部で取り出した欠陥情報とを裏向きに変換する処理を行うので、焦点が外れたことによる不鮮明さを解消すると同時に、適正な向きの画像情報を得る。その結果、光学レンズの合焦作動を行うことなくソフトウエア的な処理で済む画像処理だけで適正な向きの写真プリントを得ることができ、しかも、欠陥情報に基づく補正も可能となった。
【００１５】
本発明の請求項４に係るフィルムスキャナの特徴、作用・効果は次の通りである。
〔特徴〕
請求項３記載のフィルムスキャナにおいて、前記表裏判別手段が、前記写真フィルムの形成されたＤＸコード情報を光学的に読み取るセンサからの情報に基づいて写真フィルムの表裏の判別を行うよう処理形態を設定してある点にある。
【００１６】
〔作用・効果〕
上記特徴によると、フィルム保持機構に写真フィルムをセットし、その写真フィルムに形成されたＤＸコードをセンサで読み取るだけで、表裏判別手段がフィルム保持機構に保持された写真フィルムの表裏の判別を行えるものとなる。その結果、フィルム保持機構に対して誤って写真フィルムを裏向きに保持した場合にも確実に誤りを判別できる。
【００１７】
【発明の実施の形態】
以下、本発明の実施の形態を図面に基づいて説明する。
図１に示すように、現像済みの写真フィルムＦの画像情報を取り込んでプリントに必要な画像処理を実行するオペレートユニットＡと、このオペレートユニットＡからの画像情報を印画紙Ｐにプリントして排出する現像処理ユニットＢとを備えて写真プリント装置が構成されている。
【００１８】
この写真プリント装置はデジタルミニラボと称せられるものであり、前記オペレートユニットＡは、テーブル部の上面に備えたフィルムスキャナＳで現像済みの写真フィルムＦから画像情報をデジタル信号化して取り込んだ後、その画像情報に対してテーブル部の下部に備えた制御装置Ｃで必要な処理を行い、この処理後の画像情報をテーブル部の上面に備えたディスプレイ１に表示し、このディスプレイ１で確認した画像情報を現像処理ユニットＢに伝送する処理を実現するよう構成され、テーブル部には処理に必要な情報を入力するキーボード２とマウス３を備えている。
【００１９】
前記現像処理ユニットＢは、本体５の上面に備えた一対の印画紙マガジン６に対してロール状に収納された長尺の銀塩式の印画紙Ｐを本体５の内部に送り込んでプリントサイズに切断した後、露光エンジン７の部位に供給して画像情報の露光を行い、この露光の後、現像処理部８の現像処理槽（図示せず）で現像処理を行い、更に、乾燥処理の後に、本体５の上部に備えた横送りコンベア９の上面に排出し、この横送りコンベア９から送られる印画紙Ｐをオーダ単位で仕分けてソータ部１０のトレイ１０Ａに回収する処理を実現する。尚、露光エンジン７は、デジタル化された画像情報を印画紙Ｐに対して露光する性能を有するものであれば良く、レーザビーム式、ＰＬＺＴ方式、蛍光ビーム方式、液晶シャッター方式、ＤＭＤ方式又はＦＯＣＲＴ等の使用が考えられる。
【００２０】
図２に示すように、前記フィルムスキャナＳは、写真フィルムＦを長手方向に沿って往復搬送自在に保持するフィルムキャリアＦＣ（フィルム保持機構の一例）を備えると共に、このフィルムキャリアＦＣの下側位置に光源系を配置し、このフィルムキャリアＦＣの上側位置に光電変換系を配置している。
【００２１】
つまり、光源系は、ハロゲンランプで成る光源１５からの光線の光量を平均化するミラーボックス１６から写真フィルムＦに照射するよう構成されている。又、光電変換系は、写真フィルムＦを透過した光線が送られる光学レンズ１７と、この光学レンズ１７からの光線のうち可視光域の光線を透過させ、かつ、赤外光を反射するダイクロイックミラー１８と、このダイクロイックミラー１８を透過した可視光から画像情報を取り込む３ラインＣＣＤ型の可視光センサＳｖ（可視光用の光電変換部の一例）とを光軸Ｌの上に配置すると共に、ダイクロイックミラー１８で反射された赤外光を導く光路上にハーフミラー１９を配置し、このハーフミラー１９で反射された赤外光から写真フィルムＦの画像情報を取り込む１ラインＣＣＤ型の第１赤外光センサＳｒ１（赤外光用の光電変換部Ｓｒの一例・第１光電変換手段の一例）と、この光路の延長上に赤外光から写真フィルムＦの画像情報を取り込む１ラインＣＣＤ型の第２赤外光センサＳｒ２（赤外光用の光電変換部Ｓｒの一例・第２光電変換手段の一例）とを備えている。
【００２２】
このフィルムスキャナＳは、図３に示すように写真フィルムＦの画像形成面Ｆａ（乳剤面）を上側にセットした（適正にセットした）状態において、その画像形成面Ｆａの画像情報を光学レンズ１７から上方に導き、前記可視光センサＳｖと前記第１赤外光センサＳｒ１との光電変換面に結像させるようレンズ光学レンズ１７の焦点位置を設定すると共に、この写真フィルムＦのベース側面Ｆｂからの画像情報を前記第２赤外光センサＳｒ２の光電変換面に結像させるよう光学レンズ１７の焦点位置を設定している。前記可視光センサＳｖはＲ（赤）、Ｇ（緑）、Ｂ（青）夫々の波長の光線からラインイメージを独立して取り込み得るよう夫々の波長に対応した受光特性となる３種のラインＣＣＤを平行姿勢で配置したものであり、前記第１、第２赤外光センサＳｒ１、Ｓｒ２は赤外域の波長の光線からラインイメージを取り込み得るよう赤外光を受光する受光特性の１つのラインＣＣＤを配置したものである。
【００２３】
尚、図面において光学レンズ１７を単一のレンズとして描いているが、この光学レンズ１７は前記Ｒ（赤）、Ｇ（緑）、Ｂ（青）夫々の波長の画像情報を同一面に結像させるよう色収差を補正した複数のレンズを組み合わせたものであり、後述するように拡大率を調節できるようズームレンズ型に構成したものであっても良い。
【００２４】
又、前記フィルムキャリアＦＣは、写真フィルムＦを挟み込んで搬送する圧着型の複数の搬送ローラ２１と、これらの搬送ローラ２１を駆動する搬送モータＭＦと、写真フィルムＦの側部に形成されたＤＸコードを読み取るよう光源２２Ａと受光素子２２Ｂとで成るＤＸセンサ２２とを備えている。
【００２５】
同図に示すように、フィルムスキャナＳは、前記光源１５を制御する光源制御回路３１と、前記搬送モータＭＦを制御する搬送モータ制御回路３２と、前記ＤＸセンサ２２からの検出信号を取り込むセンサインタフェース３３と、前記可視光センサＳｖからの画像情報を一時的に保存するバッファメモリＭｖと、このバッファメモリＭｖを制御するメモリ制御回路３４と、前記第１赤外光センサＳｒ１からの画像情報（欠陥情報）を一時的に保存するバッファメモリＭｒ１と、このバッファメモリＭｒ１を制御するメモリ制御回路３５と、前記第２赤外光センサＳｒ２からの画像情報（欠陥情報）を一時的に保存するバッファメモリＭｒ２と、このバッファメモリＭｒ２を制御するメモリ制御回路３６とを備えると共に、これらと情報のアクセスを行うコントローラ４０を備えている。
【００２６】
前記コントローラ４０は入出力インタフェース（Ｉ／Ｏ）と、マイクロプロセッサー（ＣＰＵ）と、このマイクロプロセッサー（ＣＰＵ）のデータバスに接続する半導体メモリで成るデータメモリ４１と、データバスに接続する半導体メモリに保存したデータで成るプログラムデータ部４２とを備えると共に、前記データバスに対して光源制御部４３と、搬送制御部４４と、表裏判別手段としての表裏判別部４５と、画像処理手段としての画像処理部４７とを接続している。尚、光源制御部４３、搬送制御部４４、表裏判別手段４５、画像処理部４７はハードウエア又はソフトウエア、あるいは、ハードウエアとソフトウエアとの組合わせで成ている。
【００２７】
前記データメモリ４１は、後述するように搬送制御部４４を制御する際の制御量を保存する機能と、処理の実行時に必要なデータを一時的に保存する機能とを有する。前記プログラムデータ部はコントローラ４０で実行される基本的なプログラムが保存される。前記光源制御部４３は、前記光源制御回路３１を介して前記光源１５に供給する電力を制御する。前記搬送制御部４４は前記搬送モータ制御回路３２を介して前記搬送モータＭＦを制御して写真フィルムＦの搬送方向と搬送速度を制御する。前記表裏判別部４５は、前記センサインタフェース３３を介してＤＸセンサ２２からＤＸコード情報を取り込み、搬送方向とＤＸコードの整列方向と配置（写真フィルムＦの幅方向の何れの位置に存在するかの判別）からフィルムキャリアＦＣに保持されている写真フィルムＦの表裏を判別する。
【００２８】
前記画像処理部４７は可視光情報処理部４７Ａと、赤外光情報処理部４７Ｂと、画像情報補正部４７Ｃとで構成され、可視光情報処理部４７Ａは前記可視光用のバッファメモリＭｖから送られる画像情報をコマ単位で独立する画像情報として生成する処理を行い、赤外光情報処理部４７Ｂは前記赤外光用のバッファメモリＭｒ１、Ｍｒ２からの画像情報をコマ単位で独立する画像情報として生成し、かつ、その画像情報に含まれる濃度情報からゴミや傷の有無を判別し、そのゴミや傷が存在する領域を情報化する処理（欠陥情報を抽出する処理）を行い、画像情報補正手段４７Ｃは可視光情報処理部４７Ａからの画像情報と、赤外光情報処理部４７Ｂからの欠陥情報とに基づいて画像情報の補正を行う。尚、この画像情報補正部４７Ｃでは、欠陥情報が存在する領域を、その領域の周囲の画像情報に基づきニアレストレイバー法、バイリニア法、あるいは、バイキュービック法により画像情報を生成し修復する形態での補正を行う。
【００２９】
前記入出力インタフェース（Ｉ／Ｏ）から前記制御装置Ｃに対して情報を伝える信号系が形成され、前記制御装置Ｃは、後述するプレスキャンで取り込まれた画像情報が送られた場合には、ディスプレイ１に表示する処理を行い、又、このプレスキャンで取り込んだ画像情報に基づき後述する本スキャンで取り込んだ画像情報を自動的に補正する、若しくは、この画像情報を任意に補正する等の処理を行った後に、前記現像処理ユニットＢに送り出すプログラムがセットされている。
【００３０】
このフィルムスキャナＳではフィルムキャリアＦＣに保持された写真フィルムＦの画像情報を可視光センサＳｖで取り込む処理と、写真フィルムＦの画像形成面の画像情報を赤外光センサＳｒで取り込み、その画像情報からゴミや傷等の欠陥情報を抽出し、この欠陥情報に基づいて可視光センサＳｖで取り込んだ画像情報におけるゴミや傷を取り除いた画像情報を自動的に生成する処理を実現するよう構成されている。
【００３１】
特に、このフィルムスキャナＳでは、フィルムキャリアＦＣに対して写真フィルムＦを誤って裏向きに保持した場合にも、フィルムキャリアＦＣに対して適正な向きに写真フィルムＦを保持した場合と比較して遜色のない画像情報を得る処理系を備えおり、例えば、１３５サイズの写真フィルムＦの画像情報を取り込む際の制御形態を例に挙げると、その処理を図４のフローチャートのように示すことが可能である。
【００３２】
つまり、フィルムキャリアＦＣに写真フィルムＦを保持してスキャニングを実行すると、光源１５からの光線を写真フィルムＦに照射する状態で正方向（図２においてＰで示す方向）に写真フィルムＦを搬送し、この写真フィルムＦを透過した光線を可視光センサＳｖで受け、少ない画素数の画像情報を取り込む（プレスキャン：＃１００ステップ）。このプレスキャンを実行した後には、その画像情報からコマ画像情報を抽出して前記制御装置Ｃに出力する処理が実行される（＃０１）。尚、このようにプレスキャンを実行する場合には、写真フィルムＦの搬送下手側（先端）の端部をフィルムキャリアＦＣの内部に巻き取る形態で一次的に収納するよう該フィルムキャリアＦＣが構成されている。
【００３３】
又、プレスキャンを行う際には写真フィルムＦを搬送する搬送モータＭＦの駆動信号と同期して可視光センサＳｖからのラインイメージを取り込む処理が実行されるが、少ない画素数の画像情報を取り込む場合には、可視光センサＳｖからのラインイメージを取り込むインターバルを、後述する本スキャン時におけるインターバルより長く設定することにより副走査方向での画素数を低減し、かつ、可視光センサＳｖによって取り込んだラインイメージから画像情報を間引きする処理を行うことによって主走査方向での画素数を低減している。尚、主走査方向での画素数を低減する手段として、前記光学レンズ１７をズームレンズ型に構成し、光学レンズ１７の焦点距離を調節することにより、可視光センサＳｖの中央領域に対してだけ写真フィルムＦの画像情報を結像させてラインイメージそのものの画素数を低減するよう構成しても良い。
【００３４】
次に、このプレスキャンを終えた後には、搬送モータＭＦを逆転させて写真フィルムＦを逆方向（Ｔ方向）に搬送しながら可視光センサＳｖでプリントサイズに対応した画素数の画像情報を取り込むと同時に、第１、第２赤外光センサＳｒ１、Ｓｒ２を介してプリントサイズに対応した画素数の画像情報を取り込む（本スキャン：＃２００ステップ）。このように本スキャンを実行した後には画像処理を実行し（＃３００ステップ）、本スキャンによって取り込まれた画像情報を前記制御装置Ｃに出力する（＃０２ステップ）。
【００３５】
図５のフローチャートに示すように、前記プレスキャンルーチン（＃１００ステップ）は、写真フィルムＦを正方向（Ｐ方向）に搬送しながら、予め設定された画素数の画像情報を取得する処理を実行し、このように写真フィルムＦを搬送する際に前記ＤＸセンサ２２からの情報に基づいて前記表裏判別部４５が写真フィルムＦの表裏を判別する処理を実行し、更に、画像情報を取得する処理を写真フィルムＦの終端が専用のセンサ（図示せず）で検出されないうちは継続させ、写真フィルムＦの終端をセンサが検出すると搬送モータＭＦの駆動を停止する（＃１０１〜＃１０４ステップ）。
【００３６】
前記表裏判別部４５によって写真フィルムＦの表裏を判別する判別処理は、ＤＸコードを構成するバーの整列方向と写真フィルムＦに対する配置とに基づいて行われるものであり、この判別の結果により、写真フィルムＦが裏向きであることが判別された場合にはフラグを「１」にセットし、画像処理部４７において該プレスキャンで取り込んだ画像情報を反転（裏向きに設定）させる処理を実行する（＃１０５〜＃１０７ステップ）。
【００３７】
図６のフローチャートに示すように、逆方向（Ｔ方向）に写真フィルムＦの搬送を行い乍らプリントサイズに対応した画素数の画像情報を可視光センサＳｖから取得すると同時に、プリントサイズに対応した画素数の画像情報を第１、第２赤外光センサＳｒ１、Ｓｒ２から取得し、更に、この画像情報を取得する処理を写真フィルムＦの先端が専用のセンサ（図示せず）で検出されないうちは継続させ、写真フィルムＦの先端を前記センサが検出すると搬送モータＭＦの駆動を停止する（＃２０１〜＃２０３ステップ）。
【００３８】
尚、プリントサイズに対応して設定される画素数は、前述したプレスキャン時に設定される画素数と比較して充分に大きい値であり、プリントサイズが大きいほど画素数も大きい値が与えられる。
【００３９】
次に、フラグが「１」である場合には可視光センサＳｖで取得した画像情報と、第１、第２赤外光センサＳｒ１、Ｓｒ２で取得した画像情報とを、前記画像処理部４７において反転（裏向きに設定）する変換処理を実行し、最後にフラグを「０」に設定する処理を実行する（＃２０４〜＃２０６ステップ）。
【００４０】
図７のフローチャートに示すように、前記画像処理は、前記第１、第２赤外光センサＳｒ１、Ｓｒ２で取り込まれた画像情報と、予め設定された濃度情報とを前記赤外光情報処理部４７Ｂにおいて比較し、予め設定された濃度を超える領域を欠陥部として抽出し、このように抽出した欠陥部を、前記画像補正部４７Ｃにおいて補間情報により修復する処理を実行する（＃３０１〜＃３０３ステップ）。つまり、可視光センサＳｖを介して取り込んだ画像情報のうち、ゴミが付着したことや傷が存在することにより欠陥部が存在する場合には、第１、第２赤外光センサＳｒ１、Ｓｒ２で取得した画像情報から欠陥部の領域を特定し、その欠陥部の領域の周囲の画像情報に基づきニアレストレイバー法、バイリニア法、あるいは、バイキュービック法により補間情報を生成し、修復する処理が実行されるのである。特に、写真フィルムＦにゴミや傷が存在する場合には、第１、第２赤外光センサＳｒ１、Ｓｒ２夫々で同時に重なり合う位置に欠陥情報を取り出すことになるので、画像情報の修復を行う場合には、これらの欠陥情報に基づいて欠陥部の領域を特定する必要がある。欠陥部の領域を特定する処理として、例えば、夫々の欠陥情報が存在する領域を平均化した領域を欠陥部の領域として特定することや、夫々の欠陥情報のうち鮮鋭度が高い側の欠陥情報が存在する領域を欠陥部の領域として特定することが考えられている。
【００４１】
次に、本スキャンで取得した画像情報が反転処理されたものである場合には、可視光情報処理部４７Ａにおいてコントラストを高める処理や、エッジを強調する処理等の処理により画像情報を鮮明化する鮮明化処理が実行される（＃３０４、＃３０５ステップ）。尚、このように補正処理と鮮明化処理とが行われた後には、赤外光の画像情報は破棄され、可視光の画像情報がコマ単位で前記制御装置Ｃに送られる。
【００４２】
因みに、写真フィルムＦにゴミや傷が存在する場合には前述した通り、第１、第２赤外光センサＳｒ１、Ｓｒ２夫々で同時に欠陥情報として取り出すことになるので、例えば、第１、第２赤外光センサＳｒ１、Ｓｒ２で重なり合う状態で取り出された欠陥情報を比較して鮮鋭度が高い側のフィルム面に欠陥情報が存在すると判断することも可能である。従って、この判断結果と、前記表裏判別部４５の判別結果とに基づいて写真フィルムＦの何れの面に欠陥情報が存在するかを求め、写真フィルムＦの画像形成面Ｆａの欠陥情報と、ベース側面Ｆｂの欠陥情報とに対する補正の処理形態を異なるよう設定することも考えられる。
【００４３】
このように本発明のフィルムスキャナＳでは、フィルムキャリアＦＣに対して写真フィルムＦを適正にセットした場合には従来からのものと同様に可視光センサＳｖから画像情報を取り込み、第１、第２赤外光センサＳｒ１、Ｓｒ２からの画像情報に基づいて写真フィルムＦの両面のゴミや傷に起因する欠陥情報の修復を行うものである。特に、フィルムキャリアＦＣに対して写真フィルムＦを誤って裏向きにセットした場合には、可視光センサＳｖに対して写真フィルムＦの画像情報を結像させないものであるが、画像情報を鮮明化させる鮮明化処理により高品質のプリントを出力できるものになっている。
【００４４】
〔別実施の形態〕
本発明は上記実施の形態以外に、例えば、実施例におけるオペレートユニット全体をフィルムスキャナとして捉えることも可能であり、この場合、実施例における制御装置Ｃにおいて画像情報の反転、画像情報の補正、画像情報の鮮明化処理を行うよう処理形態を設定することも可能である。又、実施例におけるコントローラ４０と制御装置Ｃとで画像処理を実現する処理系を構成することも可能となる。
【００４５】
又、本発明は、１３５サイズ以外のサイズの写真フィルムに適用することが可能であり、又、ダイクロイックミラーに換えて、ハーフプリズムやハーフミラーを用いることも可能であり、この場合、赤外光変換系に赤外線を選択的に透過させる光学フィルターを併用することも可能である。更に、本発明では、表裏判別手段を写真フィルムの側部に形成されるメーカ名を示す文字やコマを示す数字を読み取る画像処理系を備え、この画像処理系で読み取った文字や数字の形状から表裏を判別するよう構成することも可能である。
【図面の簡単な説明】
【図１】写真プリント装置の全体斜視図
【図２】フィルムスキャナの構成図
【図３】可視光センサと第１、第２赤外光センサとに対する結像状態を示す模式図
【図４】スキャニング処理のフローチャート
【図５】プレスキャンルーチンのフローチャート
【図６】本スキャンルーチンのフローチャート
【図７】画像処理のフローチャート
【符号の説明】
１５            光源
１７            光学レンズ
１８            ダイクロイックミラー
１９            ハーフミラー
４５            表裏判別手段
４７            画像処理手段
Ｆ              写真フィルム
ＦＣ            フィルム保持機構
Ｌ              光軸
Ｓｖ            可視光用の光電変換部
Ｓｒ            赤外光用の光電変換部
Ｓｒ１          第１光電変換手段
Ｓｒ２          第２光電変換手段
【図１】
2004228955.tif 000003
【図２】
2004228955.tif 000004
【図３】
2004228955.tif 000005
【図４】
2004228955.tif 000006
【図５】
2004228955.tif 000007
【図６】
2004228955.tif 000008
【図７】
2004228955.tif 000009